【手続補正書】
【提出日】平成16年6月2日(2004.6.2)
【手続補正１】
【補正対象書類名】明細書
【補正対象項目名】全文
【補正方法】変更
【補正の内容】
【書類名】  明細書
【発明の名称】  移動機能付き寝台
【特許請求の範囲】
【請求項１】  横臥面を分割した寝台において、
尾▲てい▼骨辺より上の上半身部分と下肢中程より下の足附近部分を任意の形状で連結１体化した外側部分と、該外側部分が挟む尾▲てい▼骨辺より下肢中程に至る臀部下肢の載る内側部分で寝台を構成し、
外側部分に配設された上下、横方向への移動手段で、内側部分の欠除による寝台中程の空間部の形成が可能であって、該空間部の片側が開放されている寝台。
【請求項２】  横臥面を分割した寝台において、
尾▲てい▼骨辺より上の上半身部分と下肢中程より下の足附近部分を任意の形状で連結１体化した外側部分と、該外側部分が挟む尾▲てい▼骨辺より下肢中程に至る臀部下肢の載る内側部分で寝台を構成し、
外側部分に配設された横方向への移動手段と内側部分に配設された上下方向若しくは上下、横方向への公知の移動手段で、内側部分の欠除による寝台中程の空間部の形成が可能であって、該空間部の片側が開放されている寝台。
【請求項３】  横臥面を分割した寝台において、
尾▲てい▼骨辺より上の上半身部分と下肢中程より下の足附近部分を床に固定等任意の形状で連結した外側部分と、該外側部分が挟む尾▲てい▼骨辺より下肢中程に至る臀部下肢の載る内側部分で寝台構成をし、
外側部分に配設された上下方向への移動手段と内側部分に配設された横方向若しくは上下、横方向への移動手段で内側部分の欠除による寝台中程の空間部の形成が可能であって、該空間部の片側が開放されている寝台。
【請求項４】  横臥面を分割した寝台において、
尾▲てい▼骨辺より上の上半身部分と下肢中程より下の足附近部分を床に固定等任意の形状で連結した外側部分と、該外側部分が挟む尾▲てい▼骨辺より下肢中程に至る臀部下肢の載る内側部分で寝台を構成し、
内側部分に配設された上下、横方向への移動手段で、内側部分の欠除による寝台中程の空間部の形成が可能であって、該空間部の片側が開放されている寝台。
【請求項５】  横臥面を分割した寝台において、
尾▲てい▼骨辺より上の上半身部分と尾▲てい▼骨辺より下肢中程に至る臀部下肢部分及び下肢中程より下の足附近部分で寝台を構成し、
前記部分中の上半身部分及び足附近部分に配設された上下、横方向への移動手段で、臀部下肢部分の欠除による寝台中程の空間部を椅子型便器によって置き換え可能に構成されている寝台。
【請求項６】  請求項１乃至請求項５の何れかの寝台において、臀部下肢部分に上下、横方向若しくは上下方向若しくは横方向への移動手段を配設した寝台。
【請求項７】  横臥面を分割した寝台において、
尾▲てい▼骨辺より上の上半身部分と尾▲てい▼骨辺より下肢中程に至る臀部下肢部分及び下肢中程より下の足附近部分で寝台を構成し、
前記部分中の上半身部分及び足附近部分に配設された横方向への移動手段と臀部下肢部分に配設された公知の上下方向若しくは上下、横方向への移動手段で、臀部下肢部分の欠除による寝台中程の空間部の形成が可能である寝台。
【発明の詳細な説明】
【０００１】
【発明の属する技術分野】
本発明は下半身の故障で起立歩行のできない病人や、意識はしっかりしているが寝たきりとなってしまった老人の排泄時、入浴時、車椅子への移動時に対応した介護用寝台に関する。
【０００２】
【従来の技術】
従来、介護者の手を借りずに自分で機械操作をして排泄行為をするという寝台や、入浴時専用又は移動時専用といった単１機能の機器が介護の場では主流を占めていた。こうして単１機能のまゝで幾つかの機種となって提供される寝台や機器は煩瑣でもあり依然として多勢の介護者やかなりの介護技術や大きな介護体力に依存せざるを得なかった。
【０００３】
【発明が解決しようとする課題】
こうした介護側の負担を軽減させる為、排泄に関しては意識のしっかりしている場合、被介護者が自力で排泄ができる寝台であると共に、浴槽や車椅子への移動にも極力介護者の手を借りずに果たせられる機能を併せ持った寝台の提供が欠かせられない。
【０００４】
【課題を解決する為の手段】
寝台上の仰向け横臥で尾▲てい▼骨辺より上の上半身と下肢中程より下の足部を横臥面で支え、臀部と下肢中程迄の横臥面を１時的に取り除いても横臥者は姿勢の崩れもなく苦痛を感じることがない。
【０００５】
そこで尾▲てい▼骨辺より上の上半身部分と尾▲てい▼骨辺より下肢中程に至る臀部下肢部分及び下肢中程より下の足附近部分で寝台を構成し、前記各部分の何れかに公知の上下、横方向への移動手段を配設し、臀部下肢の下方に腰掛け姿勢での足の上げ下げ可能な空間ができるようにすると共に、該空間の少なくとも１方の側を開放し得るように構成する。開放された臀部下肢部分の空間部に椅子型便器を置き換え可能構成することの他、上半身の横臥する部分を回動して起伏可能に構成する。
【０００６】
臀部下肢部分と椅子型便器とを入れ替えて、被介護者が自力で排泄できるようにすると共に、浴槽を寝台の下方に入れて臀部に上下伸縮が自在の浴槽内椅子を当てがって腰掛け姿勢をとることで寝台からの移動を容易なものとした。背もたれを倒した車椅子を寝台下に入れ臀部に座面を当てがって腰掛け姿勢をとることで車椅子への移動を容易なものとした。
【０００７】
【発明の実施の形態】
以下に前記移動機能を備えた寝台の幾つかの異なった形態について説明する。
図１、３は請求項１記載の寝台であって、上半身部分と足附近部分は頭側枠１と足側枠２が部材３で連結された移動台上の、軸４、ガイド５やベルト６を介して上下動可能となっている枠７に、回動横臥面８を軸支し、足附近横臥面９を載置して１体化されている。臀部下肢部分を内側部分として挟む外側部分を形成し、部材３に双方の駆動輪１０とベルト６への動力伝達手段を内設し床面部材１２上を走行する。
【０００８】
又、内側部分は横臥面１４の長さを、臀部下に椅子を置いて坐った時に前方の横臥面への足の上げ下げが容易に行える大きさとしており、一般の人用と小人用とに分けた大きさとしている。寝台巾の３倍程の長さのガイド溝１１を形成した床面部材１２に椅子型便器１３と共に載置されている。
【０００９】
図２，４は請求項２記載の寝台であって、上半身部分と足附近部分は頭側枠２１と足側枠２２を部材３と枠２７で連結し、枠２７に回動横臥面８を軸支し、足附近横臥面９を載置して１体化させている。臀部下肢部分を内側部分として挟む外側部分となっており、部材３の動力伝達手段で駆動輪１０がガイド溝１１を走行する。
【００１０】
そして図４の内側部分は横臥面１４の長さを【０００８】記載と同様の大きさとし一般の人用と小人用があり、床面部材１２に寝台巾の３倍程の長さのガイド溝１１を形成する。床面部材１２に櫓状部材を載置して設け、該櫓状部材にピニオン２０とガイド２５を設ける。横臥面１４と床２６は、軸２４とガイド２５の嵌合、及びラック２８とピニオン２０の噛合により、櫓状部材の天板２３を挟み込む形態で上下動が可能である。床２６上に椅子型便器１３が搭載して設けられ、また床面部材１２に上部床２９が搭載して設けられている。
【００１１】
図５，６は請求項３記載の寝台であって、上半身部分と足附近部分は台形床３４に固設される頭側枠３１と足側枠３２が部材３で連結して１体化されている。軸４やガイド５、ベルト６を介して上下動可能となっている枠３７に回動横臥面８を軸支し、枠３８に足附近横臥面９を載置していて、臀部下肢部分を内側部分として挟む外側部分となっている。部材３に双方のベルト６への動力伝達手段を内設している。
【００１２】
そして図６の内側部分は横臥面１４の長さを【０００８】記載と同様の大きさとし一般の人用と小人用があり、横臥面１４は電動式または空転式の駆動輪３０を設けた台車３５に床３６と共に載設されている。床３６には着脱可能に椅子型便器３３が載置され、台形床３４には床３６移動時の凹みを塞ぐ回動床３９が軸支されている。
【００１３】
図７，８は請求項４記載の寝台であって、上半身部分と足附近部分は台形床４４に固設されるＬ字状の頭側枠４１とＬ字状の足側枠４２が枠２７で連結して１体化されている。該枠２７に回動横臥面８を軸支し、足附近横臥面９を載置し、臀部下肢部分を内側部分として挟む外側部分となっている。
【００１４】
そして図８の内側部分は横臥面１４の長さを【０００８】記載と同様の大きさとし一般の人用と小人用がある。横臥面１４は、駆動輪３０を配設した台車４５のガイド２５とピニオン２０を装備した天板２３を、軸２４、ラック２８を装備した床４６で挟み込むかたちの上下動をする。台車４５は頭側枠４１と足側枠４２の下部にガイドされて横移動し、床４６には着脱可能に椅子型便器３３が載置される。台形床４４には床４６移動時の凹みを塞ぐ回動床３９が軸支されている。
【００１５】
図９は請求項５記載の寝台であって、上半身部分、臀部下肢部分、足附近部分がそれぞれ独立し、駆動輪１０とガイド溝１１の係合で寝台の形態が保持されていて、頭側枠５１、足側枠５２は枠とスカートでＬ字状をなし、駆動輪１０の他補助輪５５を配設し、駆動輪１０がガイド溝１１を走行する。軸４には回動横臥面８を軸支する枠３７のガイド５、および足附近横臥面９を載置する枠３８のガイド５をそれぞれ嵌合させていて、電動式のベルト６により両横臥面を上下動可能なものにしている。
【００１６】
図１１、１２に示す如く頭側枠５１の下部から突き出ている引掛け５３、５４は床面部材１２側の引掛り５６、５７と共にスカートの短い上半身部分の傾倒を防いでいる。
【００１７】
又臀部下肢部分は横臥面１４の長さを【０００８】記載と同様の大きさとし一般の人用と小人用があり、寝台巾の３倍程の長さのガイド溝１１を形成した床面部材１２に椅子型便器１３と共に載設されている。
【００１８】
次に請求項６記載の寝台は図１、９に示す。この寝台において横臥面１４が図２の如き上部床２９をガイドとして、図８の如くに台車４５、床４６と共に上下、横方向へ移動し、若しくは図４の如くに天板２３を挟んで床２６と共に上下方向へ移動し、若しく床面部材１２に図２の上部床２９の如き割れ形成にして、図６の如き台車３５、床３６と共に横方向へ移動するようになった寝台である。
【００１９】
図１０は請求項７記載の寝台である。この寝台は上半身部分、臀部下肢部分、足附近部分がそれぞれ独立し、駆動輪１０とガイド溝１１の係合で寝台の形態が保持されている。頭側枠７１、足側枠７２は枠とスカートでＬ字状をなし駆動輪１０の他に補助輪５５を配設し駆動輪１０がガイド溝１１を走行する。頭側枠７１に回動横臥面８を軸支する枠７７を固定し、足側枠７２に足附近横臥面９を載置する枠７８を固定している。
【００２０】
そして臀部下肢部分は横臥面１４の長さを【０００８】記載と同様の大きさとし一般の人用と小人用があり、横臥面１４は図４の如くに椅子型便器１３を載設した床２６と共に天板２３を挟み上下動が可能である。床面部材１２には上部床２９が載設されている。
【００２１】
又請求項２記載の寝台における内側部分及び請求項７記載の寝台における臀部下肢部分の上下、横方向へ移動する寝台は、横臥面１４が上部床２９をガイドとする図８の如き台車４５へ床４６と共に配設されて上下、横方向に移動する寝台である。請求項３記載の寝台における内側部分の上下、横方向へ移動する寝台は、頭側枠３１、足側枠３２が図７に示す頭側枠４１、足側枠４２のようなＬ字状をなしていて、内側部分が該両枠の下部をガイドとする図８の如き内側部分に変った寝台である。
【００２２】
次に椅子型便器について説明する。上半身部分と足附近部分が横方向へ移動する寝台においては、水洗式で排泄部の洗滌乾燥が可能な椅子型便器１３を採用し、臀部下肢部分が横方向へ移動する寝台においては、浴槽や車椅子使用時に取り替え易い簡易式の椅子型便器３３を採用する。
【００２３】
浴槽は図２の如く、底部より上下に伸縮する椅子を配設した通常の簡易浴槽であって、臀部下肢部分が横方向へ移動する寝台には車輪付きの移動可能な浴槽を使用する。補助輪５５の付設される寝台には図１３の如き台付き浴槽を使用する。
【００２４】
そして車椅子は図５の如く背もたれが後方へ横倒しとなり、寝台の外側部分の下方に潜り込めるようになっている。その他、寝台の各可動部分を上下、横方向への移動若しくは回動に関わる操作装置が使用される。
【００２５】
【発明の効果】
以上本発明における寝台は排泄時の場合、被介護者は手許の操作装置で寝たまま臀部下肢を浮かせたかたちで内側部分と椅子型便器とを相互に入れ替えられ、且つ回動横臥面によって上半身の起伏を介助されるので、足附近横臥面からの足の上げ下げや排泄部払拭、パンツ、毛布等への手作業のみで用足すことができ、排泄行為が自力だけで容易にできるという効果を有する。
【００２６】
入浴時の場合は介護者が操作装置で被介護者を寝かせたまま臀部下肢を浮かせたかたちで内側部分と浴槽内椅子とを相互に入れ替えることができ、被介護者は上半身の起伏や足附近横臥面への足の上げ下げで浴槽内椅子との間の移り変えを行うと共に、浴槽内椅子での背起こし足下ろしの坐ったかたちで浴槽と共に外側部分との間の出入りをし、浴槽内椅子の上げ下げや上半身の起伏、下半身の屈伸で湯中に出入りするので操作装置の能力と相俟って被介護者の体重に囚われず寝台と浴槽との間の移動を容易なものとする効果がある。
【００２７】
そして車椅子との移り変えについても、介護者が操作装置で被介護者を寝かせたまま臀部下肢を車椅子の手すりより高く浮かせたかたちで内側部分と車椅子とを相互に入れ替えることができ、被介護者は車椅子上での上半身起伏や足附近横臥面への足の上げ下げで外側部分と車椅子とを移り変わると共に、車椅子での背おこし足降ろしの坐ったかたちで車椅子と共に外側部分との間の出入りをするので、操作装置の能力と相俟って被介護者の体重に囚われず寝台と車椅子との間の移動を容易なものとする効果がある。
【図面の簡単な説明】
【図１】請求項１記載の寝台の斜視図である。
【図２】請求項２記載の浴槽を配した寝台の斜視図である。
【図３】請求項１記載の寝台の分解図である。
【図４】請求項２記載の寝台の分解図である。
【図５】請求項３記載の車椅子を配した寝台の斜視図である。
【図６】請求項３記載の寝台の内側部分を示す斜視図である。
【図７】請求項４記載の寝台の斜視図である。
【図８】請求項４記載の寝台の内側部分を示す斜視図である。
【図９】請求項５記載の寝台の斜視図である。
【図１０】請求項７記載の浴槽を配した寝台の斜視図である。
【図１１】傾倒防止機構の斜視図である。
【図１２】傾倒防止機構の斜視図である。
【図１３】台付き浴槽の側面図である。
【符号の説明】
１．２１．３１．４１．５１．７１  頭側枠
２．２２．３２．４２．５２．７２  足側枠
３  部材
４．２４  軸
５．２５  ガイド
６  ベルト
７．２７．３７．３８．７７．７８  枠
８  回動横臥面
９  足附近横臥面
１０．３０  駆動輪
１１  ガイド溝
１２  床面部材
１３．３３  椅子型便器
１４  横臥面
２０  ピニオン
２３  天板
２６．３６．４６  床
２８  ラック
２９  上部床
３４．４４  台形床
３５．４５  台車
３９  回動床
５３．５４  引掛け
５５  補助輪
５６．５７  引掛り
【手続補正２】
【補正対象書類名】図面
【補正対象項目名】図５
【補正方法】変更
【補正の内容】
【図５】
2000037427.tif 000001
【手続補正３】
【補正対象書類名】図面
【補正対象項目名】図７
【補正方法】変更
【補正の内容】
【図７】
2000037427.tif 000002